(57)【要約】【課題】携帯電話機等の電子機器の操作パネルに用いられる可動接点体およびそれを用いて構成されたパネルスイッチに関し、スイッチ接触部への異物の侵入を阻止でき、接触信頼性の高いものを提供することを目的とする。【解決手段】ベースシート１１の下面に点在状態の点在粘着部１３に重ねて、ベースシート１１の輪郭を形成する外縁部を全周に亘って囲む所定幅の外側輪郭粘着部１６Ａと、内側に配された複数の矩形孔１１Ａを囲む同じく所定幅の内側輪郭粘着部１６Ｂと、さらに可動接点５が粘着配置される箇所に、円形の可動接点５の外形を取り囲む所定幅の包囲粘着部１５とを、スクリーン印刷等により印刷形成した構成とした。【選択図】図１
2006294429.tif 000002
【特許請求の範囲】
【請求項１】
上方凸形のドーム状に膨らんだ弾性金属薄板製の可動接点と、下面に略斑点状パターンに形成された粘着剤で上記可動接点の上面を粘着保持した可撓性を有した絶縁樹脂製のベースシートとからなり、上記粘着剤のパターンには、上記可動接点に近接してその外周を取り囲む所定幅の粘着部が設けられている可動接点体。
【請求項２】
ベースシート下面の粘着剤のパターンには、可動接点の外縁を含んで外周を取り囲むように所定幅の非粘着部が設けられていると共に、少なくとも二つの上記非粘着部の間が同じく非粘着の連結部で繋がれ、それら非粘着部およびその連結部の外側を取り囲むように所定幅の粘着部が設けられている請求項１記載の可動接点体。
【請求項３】
ベースシート下面の粘着剤のパターンには、上記ベースシートの輪郭に沿った縁部にも所定幅の粘着部が設けられている請求項１記載の可動接点体。
【請求項４】
請求項１記載の可動接点体が用いられ、中央固定接点と外側固定接点を対とした固定接点が上記可動接点体の可動接点位置に対応して配設された配線基板上に、上記可動接点の外周下端が上記外側固定接点上に載り、その可動接点のドーム状頂点部が上記中央固定接点と所定間隔をあけて対向するように位置を合わせてベースシート下面に露呈した粘着剤で粘着されて構成されたパネルスイッチ。
【発明の詳細な説明】
【技術分野】
【０００１】
本発明は、携帯電話機等の電子機器の操作パネルに使用される可動接点体およびそれを用いて構成されたパネルスイッチに関するものである。
【背景技術】
【０００２】
近年、小型・薄型化されている携帯電話機等の電子機器の操作パネルには、絶縁シートに可動接点が備えられたもの、いわゆる可動接点体を機器の配線基板上に貼り合わせてパネルスイッチとする構成の形態が多く採用されている。
【０００３】
このような従来の可動接点体およびそれを用いて構成されたパネルスイッチについて、図６〜図９を用いて説明する。
【０００４】
図６は従来の可動接点体の要部断面図、図７は同ベースシートの下面図、図８は同可動接点体を用いて構成されたパネルスイッチの要部断面図、図９は同パネルスイッチの分解斜視図である。
【０００５】
図６および図７において、１は可撓性を有する絶縁樹脂製のシートからなるベースシートであり、その外形は略矩形に形成されていると共に、下面には略斑点状パターンに形成された粘着剤２が設けられている。また、ベースシート１には矩形孔１Ａが所定箇所に設けられている。５は上方凸形のドーム状に形成された弾性金属薄板製の可動接点であり、複数の可動接点５が各ドーム状の上面を上記ベースシート１の粘着剤２によって粘着保持されて所定位置に配置され、これらで可動接点体６が構成されている。
【０００６】
そして、ベースシート１下面一面にスクリーン印刷などにより形成された粘着剤２は、図７に示すように、独立した点在状態の略斑点状の点在粘着部３と非粘着部４とからなり、非粘着部４は点在粘着部３を縫うように網状となって繋がりベースシート１の輪郭外縁および上記内側の矩形孔１Ａに通じている。
【０００７】
次に、上記可動接点体６を用いて構成されたパネルスイッチについて、図８および図９を用いて説明する。
【０００８】
７は、電子機器（図示せず）の配線基板であり、その上面には外側固定接点８Ａと中央固定接点８Ｂを対とした固定接点８が複数対設けられている。その固定接点８の配設位置は、上記可動接点体６に備えられた可動接点５の配置位置に対応している。また、９はＬＥＤで、配線基板７の所定箇所にはんだ付けで取り付けられている。その配設位置は、上記矩形孔１Ａの位置に対応している。
【０００９】
そして、上記可動接点体６は、可動接点５の外周下端が対応する外側固定接点８Ａに載り、そのドーム状の頂点部が対応する中央固定接点８Ｂと離間して対向するように位置を合わされてベースシート１下面の粘着剤２により配線基板７上に貼り付けられ、上記可動接点５の配設位置に応じて構成される複数のスイッチを備えたパネルスイッチとされる。なお、その状態でベースシート１の矩形孔１ＡからはＬＥＤ９が露出している。
【００１０】
なお、ベースシート１下面の粘着剤２を略斑点状パターンで形成しているのは、その一面に隙間なく粘着剤２が設けられていると粘着力が強すぎて、可動接点体６を電子機器の配線基板７上に貼付する際の位置合わせ等の作業性が悪くなるため、また粘着剤２の印刷等によるベースシート１面への形成の容易さや、ベースシート１下面全体を浮き等なく配線基板７に粘着させるために上記パターンとしている。
【００１１】
次にその動作について説明すると、まずベースシート１の上方から可動接点５のドーム状の頂点部に対応した位置を押圧すると、ベースシート１を介して可動接点５のドーム状部分が圧力を受け、所定の押圧力を超えるとドーム状の上部が節度感を伴って凹状に弾性変形する。そして、ドーム状の頂点部下面が対向した中央固定接点８Ｂに接触し、可動接点５を介して外側固定接点８Ａと中央固定接点８Ｂとの間が電気的に接続して、スイッチＯＮとなる。
【００１２】
また、上記押圧力を解除すると、可動接点５のドーム状部分の弾性変形が節度感を伴って元の上方凸形のドーム状に復元すると同時に、ドーム状の頂点部下面が中央固定接点８Ｂから離れ、外側固定接点８Ａと中央固定接点８Ｂとの間が電気的に絶縁状態となり、スイッチＯＦＦとなる。
【００１３】
また、ＬＥＤ９は所定のスイッチが操作された際の信号に応じて、点灯または消灯するようになっている。
【００１４】
なお、可動接点体６を配線基板７上に貼り付けるまでは、通常、可動接点５などへの汚れや異物の付着防止のため、上面に離型処理がなされた可撓性の絶縁フィルムからなるセパレータをベースシート１の下面側から貼り付けた状態として輸送・保管などが行われるが、ここではその説明を省略している。
【００１５】
なお、この出願の発明に関連する先行技術文献情報としては、例えば、特許文献１、特許文献２が知られている。
【特許文献１】特開２００２−２０３４５４号公報
【特許文献２】国際公開第０１／０８０２６３号パンフレット
【発明の開示】
【発明が解決しようとする課題】
【００１６】
しかしながら上記従来の可動接点体およびそれを用いて構成されたパネルスイッチにおいては、ベースシート１下面の粘着剤２が点在粘着部３と非粘着部４からなる略斑点状パターンに形成され、非粘着部４が点在粘着部３の間を縫ってベースシート１の輪郭外方と通気可能な状態になっているため、可動接点５に押下力を加えたり解除したりしてスイッチのＯＮ，ＯＦＦ操作を繰り返すと、上方凸形のドーム状に形成された可動接点５内の空気の移動が発生し、それに伴いベースシート１下面の非粘着部４部分やベースシート１外方の空気の出入が生じるようになる。
【００１７】
そのため、空気中の微細な異物がこの非粘着部４を通じて、可動接点５と固定接点８との接触部まで入り込んでスイッチの接触安定性に影響を与える恐れがあるという課題があった。
【００１８】
本発明は、このような従来の課題を解決するものであり、空気中の微細な異物が接触部に入り込む恐れがなく、接触信頼性を確保することができる可動接点体およびそれを用いて構成されたパネルスイッチを提供することを目的とする。
【課題を解決するための手段】
【００１９】
上記目的を達成するために本発明は、以下の構成を有するものである。
【００２０】
本発明の請求項１に記載の発明は、上方凸形のドーム状に膨らんだ弾性金属薄板製の可動接点と、下面に略斑点状パターンに形成された粘着剤で上記可動接点の上面を粘着保持した可撓性を有した絶縁樹脂製のベースシートとからなり、上記粘着剤のパターンには、上記可動接点に近接してその外周を取り囲む所定幅の粘着部が設けられている可動接点体としたものであり、可動接点に近接してその外周を取り囲んでいる上記所定幅の粘着部で、略斑点状パターンの非粘着部分に残留している移動可能な絶縁性異物や、その非粘着部分を通り抜けてくる外方からの微細な絶縁性異物が、接触部となる可動接点内の下方部まで入り込むことを防止することができ、防塵性が確保されて接触信頼性の高い可動接点体が提供できるという作用を有する。
【００２１】
請求項２に記載の発明は、請求項１記載の発明において、ベースシート下面の粘着剤のパターンには、可動接点の外縁を含んで外周を取り囲むように所定幅の非粘着部が設けられていると共に、少なくとも二つの上記非粘着部の間が同じく非粘着の連結部で繋がれ、それら非粘着部およびその連結部の外側を取り囲むように所定幅の粘着部が設けられているものであり、可動接点を押圧操作した際に、押圧された側の空気が連結部で繋がった他方の非粘着部側に移動するので、空気の圧縮度合いなどが軽減されて、可動接点の押圧操作への影響が少なくなり、操作感触の良好なものにできるという作用を有する。
【００２２】
請求項３に記載の発明は、請求項１記載の発明において、ベースシート下面の粘着剤のパターンには、上記ベースシートの輪郭に沿った縁部にも所定幅の粘着部が設けられているものであり、外方からの微細な異物の侵入を防止できると共に、ベースシートの輪郭に沿う縁部の粘着力が強くなり、めくれ防止を図ることができるという作用を有する。
【００２３】
請求項４に記載の発明は、請求項１の可動接点体が用いられ、中央固定接点と外側固定接点を対とした固定接点が上記可動接点体の可動接点位置に対応して配設された配線基板上に、上記可動接点の外周下端が上記外側固定接点上に載り、その可動接点のドーム状頂点部が上記中央固定接点と所定間隔をあけて対向するように位置を合わせてベースシート下面に露呈した粘着剤で粘着されて構成されたパネルスイッチであり、ベースシートを絶縁基板に粘着した状態で、可動接点に近接した外周を取り囲む所定幅の粘着部により、可動接点と固定接点とで構成されるスイッチ部分が密閉状態のものとなされるため、スイッチ操作時を含めて接触部に塵埃などの異物が入り込む恐れがなく、接触信頼性の高いパネルスイッチを提供することができるという作用を有する。
【発明の効果】
【００２４】
以上のように本発明によれば、ベースシート下面に設けられた粘着剤のパターンに、可動接点に近接して外周を取り囲む所定幅の粘着部が設けられているため、スイッチ接触部への異物の侵入を阻止でき、接触信頼性の高い可動接点体およびそれを用いて構成されたパネルスイッチを提供できるという有利な効果が得られる。
【発明を実施するための最良の形態】
【００２５】
以下、本発明の実施の形態について、図１〜図５を用いて説明する。
【００２６】
なお、従来の技術の項で説明した構成と同一構成の部分には同一符号を付して、詳細な説明を簡略化する。
【００２７】
（実施の形態）
図１は本発明の一実施の形態における可動接点体の要部断面図、図２は同ベースシートの下面図、図３は同可動接点体を用いて構成されたパネルスイッチの要部断面図である。
【００２８】
図１において、１１は、外形が略矩形に形成されたポリエチレンテレフタレート等の絶縁樹脂製のシートからなる可撓性を有するベースシートであり、その下面には所定パターンで形成された粘着剤１２を備えている。また、５は、上方凸形のドーム状に形成された外形円形の可動接点で、ステンレスやりん青銅等の弾性を有した薄い金属板からなっている。
【００２９】
そして、当該実施の形態によるもののベースシート１１には、図２のベースシート１１の下面図に示すように、内側の所定位置に矩形孔１１Ａが複数個設けられていると共に、上記粘着剤１２の形成パターンとしては、略一面に独立した点在状態で形成されている略斑点状パターンの点在粘着部１３と、この略斑点状のパターンに重なって、ベースシート１１の輪郭を形成する外縁部を全周に亘って囲む所定幅の外側輪郭粘着部１６Ａと、上記内側に配された複数の矩形孔１１Ａを囲む同じく所定幅の内側輪郭粘着部１６Ｂと、さらに図中に破線で示す可動接点５が粘着配置される箇所に円形の可動接点５の外形に近接して外周を取り囲む所定幅の包囲粘着部１５とからなり、それらがスクリーン印刷等により印刷形成されている。
【００３０】
そして、複数の可動接点５のそれぞれは、上記ベースシート１１下面の粘着剤１２、つまり、対応する上記包囲粘着部１５内に形成されている点在粘着部１３でドーム状部分の上面を粘着保持されてベースシート１１下面の所定の位置に配置されて当該実施の形態による可動接点体１７は構成されている。
【００３１】
次に、この可動接点体１７を用いて構成されたパネルスイッチについて、図３により説明する。７は、上面に外側固定接点８Ａと中央固定接点８Ｂを対とする固定接点８が複数対配設されている配線基板である。また、その上面側にはＬＥＤ９も可動接点体１７の内側の矩形孔１１Ａに対応した位置にはんだ付けして取り付けられている。なお、従来同様に、各固定接点８の配設位置と上記可動接点体１７における可動接点５の配置位置とは対応している。
【００３２】
そして、上記可動接点体１７は、各可動接点５の外周下端が対応する外側固定接点８Ａに載り、そのドーム状の頂点部が対応する中央固定接点８Ｂと離間して対向するように位置を合わせられてベースシート１１下面の粘着剤１２により配線基板７上に貼り付けられ、上記各可動接点５の配設位置に応じて構成される複数のスイッチを備えたパネルスイッチとされる。なお、図３にはあらわれないがＬＥＤ９はベースシート１１の矩形孔１１Ａからそれぞれ露出している。
【００３３】
そして、上記構成のパネルスイッチの各スイッチ動作としては、ベースシート１１を介して可動接点５のドーム状の頂点部に押下力を加えていくと、可動接点５が節度感を伴って上部が凹状に反転すると共に、ドーム状の頂点部下面が下方に対応した中央固定接点８Ｂに接触し、可動接点５を介して外側固定接点８Ａと中央固定接点８Ｂとの間が電気的に導通状態となり、スイッチがＯＮする。
【００３４】
そして、上記押下力を解除すると、凹状に弾性変形していた可動接点５が節度感を伴って元の上方凸形のドーム状に復元すると共に、ドーム状の頂点部下面が中央固定接点８Ｂから離れて、スイッチがＯＦＦとなる。
【００３５】
また、ＬＥＤ９は所定のスイッチが操作された際の信号に応じて、点灯または消灯するようになっている。
【００３６】
そして、当該実施の形態によるものは、可動接点体１７のベースシート１１下面に設けた包囲粘着部１５が、可動接点５を取り囲む外形に近接した周囲位置で配線基板７上に粘着している。このため、可動接点５に押下力を加えたり、解除したりしてスイッチのＯＮ，ＯＦＦ操作を繰り返しても、この包囲粘着部１５によって、ドーム状の可動接点５と配線基板７とで形成される空間内の空気が外部と遮断され、ベースシート１１下面に形成された略斑点状パターンの非粘着部分に残留した移動可能な絶縁性異物や、その非粘着部分を通り抜けてくる外方からのゴミや異物のスイッチ接触部への侵入を阻止することができ、スイッチ接触信頼性の高いものにできる。
【００３７】
さらに当該実施の形態によるものでは、可動接点体１７のベースシート１１の輪郭となる外形を取り囲む周囲にも所定幅の外側輪郭粘着部１６Ａを設けると共にＬＥＤ９を露出する矩形孔１１Ａを取り囲む周囲にも所定幅の内側輪郭粘着部１６Ｂを設け、各々配線基板７上に粘着させている構成としたため、スイッチ接触部への外方からのゴミや異物の侵入を二重に阻止でき、より確実なものにすることができる上、ベースシート１１の輪郭に沿う縁部の粘着力が強くなり、縁部のめくれ防止も図ることができる。
【００３８】
なお、ベースシート１１下面の粘着剤１２のパターンは、上述したパターン以外に図４に示す形態などとしても良く、その事例につき図４を用いて以下に説明する。
【００３９】
図４において、２１は外形が略矩形に形成されると共に、内側の所定位置にＬＥＤ９を露出させるための矩形孔２１Ａを有したベースシートであり、その下面に形成された粘着剤２２の形成パターンは、略斑点状パターンの点在粘着部２３と、ベースシート２１の輪郭に沿って設けられた所定幅の外側輪郭粘着部２６Ａと、矩形孔２１Ａを取り囲む所定幅の内側輪郭粘着部２６Ｂが設けられているところは、図２に示した形態と同じである。
【００４０】
そして、この形態のものでは、図４中に破線で示す可動接点５が配設される位置において、その可動接点５の円形の外縁を含んで外周を取り囲む所定幅の包囲非粘着部２８が設けられており、かつその包囲非粘着部２８は、隣接した可動接点５が配設される位置どうしの二つが同様の所定幅の連結非粘着部２９で繋げられている。さらに、この連結非粘着部２９と二つの包囲非粘着部２８に接してそれらの外側を取り囲む位置に所定幅の包囲粘着部２５を設けたものとしている。
【００４１】
そして、上記ベースシート２１下面の粘着剤２２のうち、上記包囲粘着部２５内に形成されている点在粘着部２３で可動接点５のそれぞれがドーム状部分の上面を粘着保持されて可動接点体２７として構成される。この可動接点体２７を用いて上記同様に構成したパネルスイッチを図５の断面図に示す。このものにおいても、外側輪郭粘着部２６Ａ、内側輪郭粘着部２６Ｂが配線基板７上に粘着されて外方からのゴミや異物の侵入が防止されている点や包囲粘着部２５が配線基板７上に粘着されて略斑点状パターンの非粘着部分に残留した移動可能な絶縁性異物などがスイッチ接触部に侵入することを阻止していることは上述したものと同じである。また、その可動接点５と配線基板７上に配設された固定接点８の配置関係なども同じであるため詳細説明は省略する。
【００４２】
次に、このパネルスイッチの動作を説明する。
【００４３】
まず、可動接点５のドーム状頂点部にベースシート２１を介して押下力を加えると、可動接点５の上部が節度感を生じて凹状に弾性変形し、ドーム状頂点部の下面が中央固定接点８Ｂに接触する。それにより、外側固定接点８Ａと中央固定接点８Ｂ間が電気的に導通したスイッチＯＮとなり、その押下力を解除すると、可動接点５は中央固定接点８Ｂからドーム状頂点部下面が離れ、節度感を伴って元の上方凸形のドーム状に復元し、スイッチＯＦＦとなることは上述したものと同じである。
【００４４】
このスイッチ操作による動作時に、ベースシート２１下面に設けた可動接点５を取り囲む包囲粘着部２５は配線基板７上に粘着されているため、ドーム状の可動接点５下面に密閉状態になる空気は圧縮されたりするが、この形態のものによれば、一方の可動接点５が押下されると、上記密閉された空気は、連結非粘着部２９で繋がった他方の可動接点５側に移動し、押下が解除されると、元の可動接点５側にその空気が戻るようになる。
【００４５】
このように当該構成のものとすると、空気の圧縮率などが軽減され、スイッチ操作力への空気の影響度合いを少なくでき、スイッチ接触部への異物の侵入が防止できて防塵性が確保できると共に、操作感触も良好な可動接点体およびそれを用いて構成されたパネルスイッチとして実現することができる。
【００４６】
なお、ここでは連結非粘着部２９を二つの可動接点５間を繋いだもので説明したが、可動接点５やＬＥＤ９の配置状態を踏まえて、さらに多くの包囲非粘着部２８間を繋ぐようにすれば、より良好な操作感触のものにできる。
【産業上の利用可能性】
【００４７】
本発明による可動接点体およびそれを用いて構成されたパネルスイッチは、可動接点の近接外周を取り囲む粘着部が設けられているので、スイッチ接触部への異物の侵入を阻止でき、接触信頼性の高いものを提供することができるという効果を有し、携帯電話機等の電子機器の操作パネルを構成する等に有用である。
【図面の簡単な説明】
【００４８】
【図１】本発明の一実施の形態による可動接点体の要部断面図
【図２】同ベースシートの下面図
【図３】同可動接点体を用いて構成されたパネルスイッチの要部断面図
【図４】同他の形態による可動接点体のベースシートの要部下面図
【図５】同他の形態による可動接点体を用いて構成されたパネルスイッチの要部断面図
【図６】従来の可動接点体の要部断面図
【図７】同ベースシートの下面図
【図８】同可動接点体を用いて構成されたパネルスイッチの要部断面図
【図９】同パネルスイッチの分解斜視図
【符号の説明】
【００４９】
５  可動接点
７  配線基板
８  固定接点
８Ａ  外側固定接点
８Ｂ  中央固定接点
９  ＬＥＤ
１１，２１  ベースシート
１１Ａ，２１Ａ  矩形孔
１２，２２  粘着剤
１３  点在粘着部
１４  非粘着部
１５，２５  包囲粘着部
１６Ａ，２６Ａ  外側輪郭粘着部
１６Ｂ，２６Ｂ  内側輪郭粘着部
１７，２７  可動接点体
２８  包囲非粘着部
２９  連結非粘着部
【図１】
2006294429.tif 000003
【図２】
2006294429.tif 000004
【図３】
2006294429.tif 000005
【図４】
2006294429.tif 000006
【図５】
2006294429.tif 000007
【図６】
2006294429.tif 000008
【図７】
2006294429.tif 000009
【図８】
2006294429.tif 000010
【図９】
2006294429.tif 000011